(57)【要約】  家具の肩部等の第一パネル（１１）と家具の基台又は棚等の第二パネル（１２）との間の家具及び家財道具の部位に幅広いアクセス性を有する連結具であって、前記第一パネル（１１）及び前記第二パネル（１２）は、一方のパネルの縁（Ｂ）を他方のパネルの表面（Ｓ）の締め付け位置に当接させるため、接近方向（ｄ）に従って、互いに向かって移動されなくてはならず、前記連結具は、少なくとも１つのパネル（１１、１２）に組み付けられる固定グループ（ＧＢ）及び接続グループ（ＧＣ）から構成され、前記固定グループ（ＧＢ）は、前記固定グループ（ＧＢ）がその上に装着される前記パネル（１１、１２）の板厚（ＳＰ）に含まれるシート部（Ｓ１）内に挿入され、前記のシート部（Ｓ１）は、前記方向（ｄ）に垂直で、縁（Ｂ１）から前記パネル（１１、１２）の内部に向かって延びる縦軸（Ｘ）を有し、前記固定グループ（ＧＢ）は、前記パネル（１１、１２）内に含まれる少なくとも前記シート部（Ｓ１）の側から作動可能な連結具であって、前記固定グループ（ＧＢ）は、前記肩部（１１）の第一穴部（３６）に位置するケース（３９、４０）内に収容され、前記ピン接続グループ（３３）に係合するのに適したグラブねじ（３５）の移動を制御する歯付クラウン（４３）を備え、前記ケースは、相互に接合でき、それぞれ少なくとも１つの穴（４２、４２’）を含む一対のハーフシェル（３９、４０）を備え、前記少なくとも１つの穴（４２、４２’）は前記２つのハーフシェル（３９、４０）上で整列し、前記第一穴部（３６）と交差する前記肩部（１１）の追加的な穴部（３７）と整列することを特徴とする連結具。【選択図】図４
2018535367.tif 000002
【特許請求の範囲】
【請求項１】
家具の肩部等の第一パネル（１１）と家具の基台又は棚等の第二パネル（１２）との間の家具及び家財道具の部位に幅広いアクセス性を有する連結具であって、
前記第一パネル（１１）及び前記第二パネル（１２）は、一方のパネルの縁（Ｂ）を他方のパネルの表面（Ｓ）の締め付け位置に当接させるため、接近方向（ｄ）に従って、互いに向かって移動されなくてはならず、
前記連結具は、少なくとも１つのパネル（１１、１２）に組み付けられる固定グループ（ＧＢ）及び接続グループ（ＧＣ）から構成され、
前記固定グループ（ＧＢ）は、前記固定グループ（ＧＢ）がその上に装着される前記パネル（１１、１２）の板厚（ＳＰ）に含まれるシート部（Ｓ１）内に挿入され、
前記のシート部（Ｓ１）は、前記接近方向（ｄ）に垂直で、縁（Ｂ１）から前記パネル（１１、１２）の内部に向かって延びる縦軸（Ｘ）を有し、
前記固定グループ（ＧＢ）は、前記パネル（１１、１２）内に含まれる少なくとも前記シート部（Ｓ１）の側から作動可能な連結具であって、
前記固定グループ（ＧＢ）は、前記肩部（１１）の第一穴部（３６）に位置するケース（３９、４０）内に収容され、ピン接続グループ（３３）に係合するのに適したグラブねじ（３５）の移動を制御する歯付クラウン（４３）を備え、
前記ケースは、相互に接合でき、それぞれ少なくとも１つの穴（４２、４２’）を含む一対のハーフシェル（３９、４０）を備え、前記少なくとも１つの穴（４２、４２’）は前記２つのハーフシェル（３９、４０）上で整列し、前記第一穴部（３６）と交差する前記肩部（１１）の追加的な穴部（３７）と整列することを特徴とする連結具。
【請求項２】
請求項１に記載の連結具であって、
前記連結具は、前記肩部（１１）に形成される前記追加的な穴部（３７）から作動される前記固定グループ（ＧＢ）を備え、前記接続グループ（ＧＣ）は、ピン接続グループであり、前記肩部（１１）に作られる第二穴部（３８）から前記肩部（１１）と接合でき、
前記２つの穴部（３７、３８）は、相互に離隔し、水平であり、前記追加的な穴部（３７）と対応して、前記肩部（１１）の反対側の表面から突出し、追加的な穴（Ｆ）が前記追加的な穴部（３７）と整列可能である連結具。
【請求項３】
請求項１に記載の連結具であって、
前記歯付クラウン（４３）は、ねじ付スクリュ（４４）内に延び、次に前記グラブねじ（３５）の内部で軸方向を向くねじ付穴（４６）に位置付けられることを特徴とする連結具。
【請求項４】
請求項１乃至３の１つ以上に記載の連結具であって、
前記ピングループは、前記基台（１２）の前記穴部（３０）に置かれた雌ねじ付ブッシュ（３１）内のねじ付端部（３２）内に位置付けられるピン（３３）を備え、
前記ピン（３３）は、その突出部分において、前記グラブねじ（３５）のためのハウジング（３４）を備えることを特徴とする連結具。
【請求項５】
請求項１に記載の連結具であって、
前記固定グループ（ＧＢ）は、前記固定グループ（ＧＢ）が装着される前記パネル（１１、１２）の前記板厚（ＳＰ）に含まれる前記シート部（Ｓ１）内に挿入され、
前記シート部（Ｓ１）は、前記接近方向（ｄ）に垂直な軸（Ｘ）に従って縁（Ｂ１）から前記パネル（１１、１２）の内部に向かって延びることを特徴とする連結具。
【発明の詳細な説明】
【技術分野】
【０００１】
本発明は、家具及び家財道具の部位に幅広いアクセス性を有する連結具に関する。
【０００２】
例えば、家具の肩部と基台の間、あるいは任意の棚の２つのパネル間における連結は、現在、家具及び家財道具の分野において、様々な手順を使用し、異なる解決手段によって達成される。
【０００３】
例えば、特許ＵＳ７４９４２９７、ＵＳ５５６７０８１、ＵＳ６５４７４７７及びＵＳ４４０８９２３から、これらの解決手段例が既知となっている。
【０００４】
特に家具及び／又は家財道具の支持部において、連結を達成させる要素を位置付けるために必要なシート部又は穴部の閉鎖要素が、これらの既知の解決手段では必要となるため、これらの既知の解決手段は、一定の複雑さを有し、どのような場合でも一定の可視性を有する。
【０００５】
さらにより分かりやすくすると、図１、２及び３は、例えば、家具の肩部と基台、あるいは任意の棚における家具及び家財道具の部位の連結具の既知の解決手段を示している。
【０００６】
図示される既知の解決手段では、家具の肩部１１及び基台１２の両者に穴部が設けられていなくてはならない。肩部１１と基台１２との接続部において、両者とも部分的に示されている。肩部１１は、実際に、水平止まり穴部１３を有し、基台１２にいたっては２重穴部１４、１５を有する。より具体的には、肩部１１の穴部１３と整列することとなる水平穴部１４、及び、例えばグラブねじ１６等の固定要素を挿入するために基台１２の上面に形成され第一穴部１４と交差する垂直穴部１５について、両方の穴部とも止まり穴である。
【０００７】
前記の穴部１３は肩部１１に垂直な軸Ａを有する。
【０００８】
この既知の連結具は、肩部１１の穴部１３内に位置付けられる雌ねじ付ブッシュ１９の内側に第一ねじ付端部１８を有するピン１７を位置づける。ピン１７は、他端部２０にグラブねじ１６の端部のためのハウジング２１を含む。
【０００９】
基台１２の垂直穴部１５内にブッシュ２２が収容され、ブッシュ２２は、ピン１７の突出端部２０を受けるための水平通過穴２３及びグラブねじ１６を受ける垂直ねじ付通過穴２４を備える。
【００１０】
既知の連結具を形成し、肩部及び基台を図１の矢印Ｆに従って並列させる前記要素をこのように位置決めすることで、基台１２の穴部１４及びブッシュ２２内にピン１７が挿入されることにより図２の接合が得られる。
【００１１】
そして、矢印２６に従って工具２５でグラブねじ１６がブッシュ２２内にねじ込まれ、それによってグラブねじ１６の先端部が、ピン１７の自由端２０に設けられるハウジング２１に位置するようになる。
【００１２】
グラブねじ１６を締めると、基台１２を肩部１１に対して押し付け、図３に示される最終的な安定した位置が形成される。
【００１３】
この既知の解決手段では、固定グループは基台内に存在し、基台に対して並びに肩部と基台との間における移動又は接近方向及び締め付けに対して垂直に配置される。固定グループと協働するピンのみが、肩部又はサイドパネルの板厚内に設けられる。
【００１４】
前記の図３は、一連の矢印によって、家具の肩部１１と基台１２との間及び連結具の部分間の遊びにおける力の体系を示す。
【００１５】
この最終的な位置は、基台１２の上面において、どのように穴部１５の端部が存在するかも表し、通常は閉止キャップ（不図示）によって覆われている。
【００１６】
前記の穴部及び対応するキャップは、連結具の可視部分を形成する。
【００１７】
第一に、キャップは存在しているものの、どのように連結が成されているかが見えるため、当該部分は審美的に正当な外観ではない。さらに、基台の表面と一直線にすることが困難であるキャップ自体は、いかなる物体が挿入されても障害物となり、たとえ最小であったとしても、基台の上面に突起部を形成する。
【００１８】
基台に少なくとも２つの穴が存在し、その上、交差し合うことは、荷重を支えなくてはならない基台自体の弱化を招き、損傷の原因となりうる。
【００１９】
さらに、例えば、基台と対応して位置付けられる引き出し等の取り外せない邪魔な物体が存在する場合、固定ユニットへのアクセス性に一定の困難性が認められる。
【００２０】
ＷＯ２００８／０７６０８９Ａ２は、パネル等の構造要素を容易に組立て及び解体するためのスクリュアセンブリを接続するモジュラ構造の実施形態について言及している。
【００２１】
ＤＥ２９５０５７５２Ｕ１は、平らな要素のための連結システムに関する。
【発明の概要】
【発明が解決しようとする課題】
【００２２】
本発明の全般的な目的は、上記で示唆された既知の技術の欠点を解決できる肩部と基台等の家具及び家財道具の部位間の連結具を、極めて単純で、安価で、特に機能的な方法で提供することにある。
【００２３】
本発明のさらなる目的は、その部位における観察者からの視認性を最小限とすることにより高い審美的価値を有し、それに加えて、基台又は棚の近くに取り外すことができない邪魔な物体が位置する場合にも、少なくとも２つの側面からアクセス可能な、肩部と基台等の家具及び家財道具の部位間における連結具を提供することにある。
【００２４】
本発明の別の目的は、幅広いアクセス性を有していても、パネルを弱体化させることなく単独のパネルの板厚内に含まれることが可能な肩部と基台等の家具及び家財道具の部位間における連結具を提供することにある。
【００２５】
本発明のさらに別の利点としては、いかなる場合においても、容易に取り外しできない邪魔な物体が存在する中で、器具が通常、操作される側面から連結具へのアクセス性があることである。
【００２６】
本発明の構造的及び機能的特徴及び既知の技術に対する本発明の利点は、同発明の実施形態例を示す同封の模式図面を参照することで、以下の説明によりさらに明らかとなる。図面は以下の通りである。
【図面の簡単な説明】
【００２７】
【図１】図１は、例えば、家具の肩部と基台又は場合によっては棚との間等の、家具及び家財道具の部位の既知の連結具の部位が相互に離隔して示される断面図である。
【図２】図２は、図１の既知の器具の２つの断面図であって、図２は、前記の部位が相互に対して並列され、部分的に相互に挿入されており、締め付けられている。
【図３】図３は、図１の既知の器具の２つの断面図であって、図３は、前記の部位が相互に完全に挿入され、締め付けられている。
【図４】図４は、例えば、前記の部位が相互に離隔する実施形態における本発明による家具の肩部と基台又は場合によっては棚との間等の、家具及び家財道具の部位の連結具の部位が相互に離隔して示される断面図である。
【図５】図５は、図４の器具の断面図であって、前記の部位が相互に並列され、部分的に挿入されている。
【図６】図６は、図４の器具の断面図であって、前記の部位が相互に完全に挿入され、締め付けられている。
【図７】図７は、図４乃至６で例として示される、本発明の連結具で使用される固定グループ及び接続グループの例を、部分的に分解した斜視図である。
【図８】図８は、図４乃至６で例として示される、本発明の連結具で使用される固定グループ及び接続グループの例を、部分的に分解した斜視図である。
【図９】図９は、図４乃至６で例として示される、本発明の連結具で使用される固定グループ及び接続グループの例を、部分的に分解した斜視図である。
【図１０】図１０は、本発明による器具の適用例を示す。
【００２８】
最初に、図４、５及び６を参照する。図４、５及び６は、本発明による家具及び家財道具の部位の連結具の第１実施形態を示す。例では、連結具は、図面では部分的に表されている第１パネル１１、例えば家具の肩部１１と、第２パネル１２、例えば基台１２又は場合によってはパネル若しくは棚とを接続して連結しなくてはならない。例で示されるように、肩部１１と基台又はパネル１２とは、概して相互に垂直であるが、相互に対して傾いていてもよい。
【００２９】
基台１２は、その端部の一方に水平止まり穴部３０の形状のシート部Ｓ２を含む。水平止まり穴部３０内には、ピン３３のねじ付端部３２を受けるために雌ねじ付ブッシュ３１が位置付けられる。
【００３０】
ピン３３は、その突出部分に、固定グラブねじ３５の先端部のためのハウジング３４を設けている。
【００３１】
前記のピン３３は、後述でさらに詳細に説明されるが、前記の肩部１１と前記の基台１２とを安定的に相互接続させるために堅固に固定される接続グループＧＣを定義する。
【００３２】
肩部１１には、実質的に細長い外形の固定グループＧＢのためのシート部Ｓ１が、相互に離隔する第１及び第２水平止まり穴部３７及び３８と交差する垂直止まり穴部３６としての形状で設けられる。
【００３３】
前記のシート部Ｓ１は、外周縁Ｂ１から前記の肩部又はパネル１１の内側に向かって特徴的に延びる。
【００３４】
一対のハーフシェル３９、４０は、垂直穴部３６に収容され、互いに接合されることが可能で、筒状ケースを形成する。筒状ケースの内側では、スクリュドライバ５５（部分的にのみ示す）の星型先端部５４で外側から制御できる固定グループＧＢの歯付クラウン４３によってグラブねじ３５が摺動される。
【００３５】
ねじ付スクリュ４４の頭部に形成される前記の歯付クラウン４３は、２つのハーフシェル３９及び４０が互いに接合した際に少なくとも１つのハーフシェル４０に作られるシート部４５で回転できる。２つのハーフシェル３９、４０の第一３９に形成される穴４２は、肩部１１の第一水平穴部３７と整列し、これから肩部又はパネル１１の第１の側から歯付クラウン４３に作用することができる。
【００３６】
ねじ付スクリュ４４は、次に、ねじ付軸穴４６及びグラブねじ３５内側に位置付けられる。
【００３７】
本発明によると、さらに、第二穴４２’が、２つのハーフシェル３９、４０の第二４０に形成され、また、肩部１１の第一水平穴部３７と整列する。このようにして、２つのハーフシェル３９、４０上で整列して配置され、肩部１１の第一水平穴部３７と整列する少なくとも１つの穴４２、４２’を各ハーフシェル３９、４０は含む。
【００３８】
そのため、この第二穴４２’から通過、すなわち、肩部１１の通常使用される上記の第一側面とは異なる側面から通過して、歯付クラウン４３に作用することができる。
【００３９】
後述でさらに詳細に説明されるが、コンポーネント３５、４３、４４、４６は、ピン３３により構成される上記接続グループＧＣへの作用に適した固定グループＧＢを主に定義する。
【００４０】
スクリュドライバ５５の星型先端部５４は、肩部１１の第一穴部３７を通って、ハーフシェル３９の穴４２から歯付クラウン４３に挿入されることに適しており、このように歯付クラウン４３と接合して、スクリュドライバ５５を回転させる。
【００４１】
スクリュドライバ５５の回転は、次にねじ付スクリュ４４の頭部の歯付クラウン４３を回転させる。ねじ付スクリュ４４の回転によって、グラブねじ３５は下向きに移動せざるを得なくなる。
【００４２】
こうして、本実施形態では、肩部１１の細長い垂直穴部３６の形状のシート部Ｓ１の内側に挿入される固定グループＧＢ（３５、４３、４４、４６）が、いかに本発明の連結具によって原則的に備えられるかがわかる。基台１２のシート部Ｓ２の内側に位置し、基台１２自体の側に形成される水平穴部３０から延びるピン接続グループＧＣ３３が固定されるように固定グループＧＢ（３５、４３、４４、４６）は作用する。より一般的には、本発明によると、望ましくは、肩部又はパネルの板厚ＳＰ内に完全に含まれるシート部Ｓ１の内側に固定グループＧＢが挿入され、前記のシート部Ｓ１又は穴部３６の縦軸Ｘは、基台１２の肩部又はパネル１１への接近方向ｄ及び締め付けに対し垂直に延びる。
【００４３】
例に戻ると、図４に示されるように、本発明による連結具の２つの部位は、２つのハーフシェル３９及び４０を肩部１１の穴部３６にセットし、ピン３３を基台１２の穴部３０にセットすることで、まず位置付けられる。
【００４４】
これを可能にするには、グラブねじ３５を、ねじ付穴４６に挿入されて歯付クラウン４３を含む関連ねじ付スクリュ４４に予め接合する（図９に示す）。そして、これらの要素は、図８に示されるように、２つのハーフシェル３９及び４０内に位置付けられ、同ハーフシェル３９及び４０を閉じることで接合は達成される。
【００４５】
前記の接合は、ハーフシェル３９又は４０から突出し、他方のハーフシェル４０又は３９に特別に形成されるシート部７１に挿入してパチンと留めること（スナップイン）に適したピン７０の存在により容易になっている。
【００４６】
図７は、関連要素がハーフシェル３９、４０内に挿入されて、いかにハーフシェル３９、４０の組立ての完了が達成されるかを示す。
【００４７】
そして、基台１２の縁Ｂが肩部１１の表面Ｓに向かって移動し、ピン３３の突出部分が肩部１１の第二水平穴部３８に挿入され、その後２つのハーフシェル３９及び４０に形成される２つの整列する穴部７２内に挿入される。
【００４８】
すでに明記されているが、スクリュドライバ５５の先端部５４が、続いて、肩部１１の第一穴部３７を通過し、ハーフシェル３９の穴４２を通って、挿入され、それによって歯付クラウン４３と係合する。ねじ付スクリュ４４の頭部の歯付クラウン４３の回転によって、グラブねじ３５は下向きに移動せざるを得なくなる。このために、グラブねじ３５は回転に抗する固定手段３５Ａを備え、これによりグラブねじ自体３５の並進移動を可能にし、回転を防止する。手段３５Ａは、例えば、少なくとも１つのハーフシェル３９、４０の対応するシート部３５Ｂの内側で接合する放射状突起部からなることができる。
【００４９】
グラブねじ３５の先端部は、ピン３３のハウジング３４に係合し、図６に示されるように、基台１２をシート部Ｓ１又は穴部３６の縦軸ｘに垂直な方向ｄに移動させ、肩部１１と基台１２との間を締め付ける。図６は一連の矢印によって、家具の肩部１１と基台１２との間及び連結具の部位間の遊びにおける力の体系を示している。
【００５０】
図１０は、アクセスが困難な他の場合において、本発明の連結具がいかに好適に使用されるかを示す。
【００５１】
この問題は、例えば、中央肩部１１の一方の側面に、肩部１１の壁部へのアクセスを妨げる一連の引き出しＣが並列する家具Ｍで発生し得る。この場合、連結具の位置付け及び使用は非常に困難である。
【００５２】
そのため、本発明は、２つのハーフシェル３９、４０のうちの第二４０に形成される穴４２’と対応する穴Ｆを肩部に作ることを可能とする。このようにして、この穴Ｆから歯付クラウン４３に作用することができ、それから肩部１１の第一水平穴部３７と整列する穴４２’を通って、上記と同様に連結具を固定する。これは全て、図４乃至６に示されていることに対応して行われる。
【００５３】
そのため、第一に、本発明によって、器具の視認性に関連する問題は好適に解決されていることが認められる。家具の肩部に動作領域を設立することは、審美的に正当な外観を作り出す。
【００５４】
さらに、家具の基台は穴部を一切有しておらず、穴部に位置付けられる場合があるキャップは、家具の基台上に載っているものと干渉することがない。
【００５５】
このようにして、何か物体を挿入するための障害物が基台上にないので、基台の上面に関しては、最小のものでさえも突起部は一切排除されている。
【００５６】
既知の技術による基台上の穴部に対し、肩部に作られる穴部は、観察者にはっきりと見えないため、審美的な価値が高い。
【００５７】
さらに、基台で相互に交差する穴を排除することで、基台自体に起こり得る弱化を排除し、それによって、基台の損傷を起こし得る原因の危険性なく高い荷重を支えることができる。
【００５８】
最後に、すでに明記され、図１０で示されているように、器具のハーフシェル４０の第二穴部４２’の存在のおかげで、連結具は通常の側面（図４、５及び６）から異なる側面からもアクセス可能である。
【００５９】
本発明の連結具を製造する構造の形態は、また、材料及び組立ての方法も、図中において純粋に例示され、非限定的な目的で示されたものとは自然に異なることができる。
【００６０】
明細書のプリアンブルに記述された目的は実現された。
【００６１】
本発明の保護適用範囲は同封の請求項により定義される。
【図１】
2018535367.tif 000003
【図２】
2018535367.tif 000004
【図３】
2018535367.tif 000005
【図４】
2018535367.tif 000006
【図５】
2018535367.tif 000007
【図６】
2018535367.tif 000008
【図７】
2018535367.tif 000009
【図８】
2018535367.tif 000010
【図９】
2018535367.tif 000011
【図１０】
2018535367.tif 000012
【国際調査報告】
2018535367.tif 000013
2018535367.tif 000014